(57)【要約】      （修正有）【課題】画像補正調整時にサンプル画像を表示する。【解決手段】制御装置１０３は、使用者によって画像に適用する画像処理パラメータの調整操作が行われているときに、使用者がつまみ位置の微調整を開始したか否かを判定し、微調整を開始したと判定した場合には、調整対象の画像に対して画像処理調整パラメータによる微調整結果を適用した複数のサンプル画像を表示し、微調整に応じた処理の結果を用意に確認できるようにする。【選択図】図１
2010198078.tif 000002
【特許請求の範囲】
【請求項１】
使用者によって画像に適用する画像処理パラメータの調整操作が行われているときに、前記調整操作が前記画像処理パラメータを微調整するための微調整操作であるか否かを判定する微調整判定手段と、
前記微調整操作であると判定した場合に、前記画像に対して前記画像処理パラメータの微調整結果を適用した複数のサンプル画像を表示するサンプル画像表示手段とを備えることを特徴とする画像処理装置。
【請求項２】
請求項１に記載の画像処理装置において、
前記微調整判定手段は、使用者による前記画像処理パラメータの変更幅が所定幅よりも小さくなったときに、前記調整操作が前記微調整操作であると判定することを特徴とする画像処理装置。
【請求項３】
請求項１または２に記載の画像処理装置において、
前記微調整判定手段は、使用者による画像処理パラメータの変更が一定時間以上行われないときに、前記調整操作が前記微調整操作であると判定することを特徴とする画像処理装置。
【請求項４】
請求項１〜３のいずれか一項に記載の画像処理装置において、
前記微調整判定手段は、使用者によって同じパラメータ値が繰り返し選択されたときに、前記調整操作が前記微調整操作であると判定することを特徴とする画像処理装置。
【請求項５】
請求項１〜４のいずれか一項に記載の画像処理装置において、
使用者によって前記サンプル画像のいずれかが選択された場合には、選択されたサンプル画像に対して適用されている画像処理パラメータを用いた画像処理結果を前記画像に反映する反映手段をさらに備えることを特徴とする画像処理装置。
【請求項６】
請求項１〜５のいずれか一項に記載の画像処理装置において、
前記サンプル画像表示手段は、前記画像の一部に重畳して前記サンプル画像を表示することを特徴とする画像処理装置。
【請求項７】
コンピュータに、
使用者によって画像に適用する画像処理パラメータの調整操作が行われているときに、前記調整操作が前記画像処理パラメータを微調整するための微調整操作であるか否かを判定する微調整判定手順と、
前記微調整操作であると判定した場合に、前記画像に対して前記画像処理パラメータの微調整結果を適用した複数のサンプル画像を表示するサンプル画像表示手順とを実行させるための画像処理プログラム。
【発明の詳細な説明】
【技術分野】
【０００１】
本発明は、画像処理装置、および画像処理プログラムに関する。
【背景技術】
【０００２】
次のような画像処理装置が知られている。この画像処理装置は、２次元座標上で指定された画像補正パラメータの値に、画像の補正サンプルをサムネイル画像として表示する（例えば、特許文献１）。
【先行技術文献】
【特許文献】
【０００３】
【特許文献１】特開２００６−１０６９７６号公報
【発明の概要】
【発明が解決しようとする課題】
【０００４】
しかしながら、従来の画像処理装置においては、補正サンプルとして表示するサムネイル画像の表示タイミングについては何ら開示されていなかった。
【課題を解決するための手段】
【０００５】
本発明による画像処理装置は、使用者によって画像に適用する画像処理パラメータの調整操作が行われているときに、調整操作が画像処理パラメータを微調整するための微調整操作であるか否かを判定する微調整判定手段と、微調整操作であると判定した場合に、画像に対して画像処理パラメータの微調整結果を適用した複数のサンプル画像を表示するサンプル画像表示手段とを備えることを特徴とする。
微調整判定手段は、使用者による画像処理パラメータの変更幅が所定幅よりも小さくなったときに、調整操作が微調整操作であると判定するようにしてもよい。
微調整判定手段は、使用者による画像処理パラメータの変更が一定時間以上行われないときに、調整操作が微調整操作であると判定するようにしてもよい。
微調整判定手段は、使用者によって同じパラメータ値が繰り返し選択されたときに、調整操作が微調整操作であると判定するようにしてもよい。
使用者によってサンプル画像のいずれかが選択された場合には、選択されたサンプル画像に対して適用されている画像処理パラメータを用いた画像処理結果を画像に反映する反映手段をさらに備えるようにしてもよい。
サンプル画像表示手段は、画像の一部に重畳してサンプル画像を表示するようにしてもよい。
本発明による画像処理プログラムは、コンピュータに、使用者によって画像に適用する画像処理パラメータの調整操作が行われているときに、調整操作が画像処理パラメータを微調整するための微調整操作であるか否かを判定する微調整判定手順と、微調整操作であると判定した場合に、画像に対して画像処理パラメータの微調整結果を適用した複数のサンプル画像を表示するサンプル画像表示手順とを実行させることを特徴とする。
【発明の効果】
【０００６】
本発明によれば、使用者が画像処理パラメータの微調整を開始したタイミングでサンプル画像を表示することができる。
【図面の簡単な説明】
【０００７】
【図１】画像処理装置の一実施の形態の構成を示すブロック図である。
【図２】コントロールポイントの具体例を示す図である。
【図３】サンプル画像の表示例を示す図である。
【図４】サンプル画像表示処理の流れを示すフローチャート図である。
【発明を実施するための形態】
【０００８】
図１は、本実施の形態における画像処理装置の一実施の形態の構成を示すブロック図である。画像処理装置１００としては、例えばパソコン（パーソナルコンピューター）が用いられる。画像処理装置１００は、操作部材１０１と、接続ＩＦ（インターフェース）１０２と、制御装置１０３と、ＨＤＤ（ハードディスクドライブ）１０４と、モニタ１０５とを備えている。
【０００９】
操作部材１０１は、使用者によって操作される種々の装置、例えばキーボードやマウスを含む。接続ＩＦ１０２は、デジタルカメラなどの外部装置を接続するためのインターフェースであって、例えばデジタルカメラやビデオカメラと有線接続を行うためのＵＳＢインターフェースや、無線接続を行うための無線ＬＡＮモジュールなどが使用される。本実施の形態では、例えば、この接続ＩＦ１０２を介してデジタルカメラから画像ファイルのデータが取り込まれる。
【００１０】
制御装置１０３は、ＣＰＵ、メモリ、およびその他の周辺回路によって構成され、画像処理装置１００の全体を制御する。なお、制御装置１０３を構成するメモリは、例えばＳＤＲＡＭ等の揮発性のメモリである。このメモリは、ＣＰＵがプログラム実行時にプログラムを展開するためのワークメモリとして使用されたり、データを一時的に記録するためのバッファメモリとして使用される。
【００１１】
ＨＤＤ１０４は、接続ＩＦ１０２を介して取り込まれた画像ファイルや、制御装置１０３で実行される種々のプログラム等を記録するための記録装置である。例えば、ＨＤＤ１０４には、後述する処理を実行するためのプログラムのデータが記録される。このプログラムは、ＣＤ−ＲＯＭやＤＶＤ−ＲＯＭなどの記憶媒体に記録されて提供される。画像処理装置１００においては、使用者が記憶媒体を用いてプログラムのデータをＨＤＤ１０４にインストールすることによって、制御装置１０３がプログラムを実行できるようになる。
【００１２】
モニタ１０５は、例えば液晶モニタであって、制御装置１０３から出力される表示用データの画像を表示する。
【００１３】
本実施の形態では、使用者は、画像処理アプリケーションのインストール用プログラムが記録されたＣＤ−ＲＯＭやＤＶＤ−ＲＯＭを用いて画像処理装置１００であるパソコンに画像処理アプリケーションをインストールすることによって、画像処理装置１００上で画像処理アプリケーションの実行が可能となる。例えば、画像処理アプリケーションのプログラムデータがＣＤ−ＲＯＭやＤＶＤ−ＲＯＭを介してＨＤＤ１０４に記録されることによって、画像処理装置１００への画像処理アプリケーションのインストールが行われる。
【００１４】
使用者が操作部材１０１を操作して画像処理アプリケーションの実行を指示すると、制御装置１０３は、ＨＤＤ１０４に記録されている画像処理アプリケーションのプログラムデータをバッファメモリに読み出して実行することにより、画像処理アプリケーションを起動する。画像処理アプリケーションが起動されると、モニタ１０５には、画像処理アプリケーションのアプリケーション画面が表示される。
【００１５】
本実施の形態では、使用者は、アプリケーション画面上にＨＤＤ１０４に記録されている任意の画像ファイルの画像を選択して表示することができ、表示中の画像に対して色調整、明度調整、彩度調整などの画像調整を行って、画像を使用者の好みの画質に編集することができる。制御装置１０３は、使用者による画像調整が完了すると、表示中の画像に対して画像処理を施して、使用者による画像調整の内容を反映させた画像データを含む画像ファイルを生成し、画像調整前の画像ファイルを画像調整後の画像ファイルで更新する。
【００１６】
アプリケーション画面上で画像調整を行うに当たっては、図２に示すように、使用者は、操作部材１０１を操作して画像上の画像調整を行いたい位置２ａに対応付けて画像調整用のコントロールポイント２ｂを表示させる。そして、使用者は、操作部材１０１を操作して、コントロールポイント２ｂを操作することにより、位置２ａを基準とした画像調整を行うことができる。なお、コントロールポイント２ｂは、スライダー２ｂ−１とつまみ２ｂ−２とによって構成されており、使用者は、操作部材１０１を操作して、スライダー２ｂ−１上でつまみ２ｂ−２を移動させることにより画像処理パラメータの値を変更して画像調整を行うことができる。
【００１７】
このコントロールポイント２ｂは、画像調整の種類ごとに存在し、例えば色調整用のコントロールポイント、明度調整用のコントロールポイント、彩度調整用のコントロールポイント等が存在する。使用者は、画像調整を行う種類に応じたコントロールポイントを画像上に表示して、好みの画質になるように画像調整を行うことができる。
【００１８】
図２におけるコントロールポイント２ｂは、赤色を調整するための色調整用のコントロールポイントを示しており、使用者は、この赤色調整用のコントロールポイントを操作して、位置２ａを基準とした画像全体の赤味を調整することができる。例えば、使用者は、スライダー２ｂ−１上でつまみ２ｂ−２を右方向に移動させるほど、位置２ａを基準とした画像の赤みが増すように画像処理パラメータを変更することができ、逆にスライダー２ｂ−１上でつまみ２ｂ−２を左方向に移動させるほど、位置２ａを基準とした画像の赤みを減らすように画像処理パラメータを変更することができる。
【００１９】
制御装置１０３は、使用者によってつまみ２ｂ−２が移動されると、表示中の画像に対して移動後のつまみ位置に応じた画像処理パラメータを適用して画像処理を行い、画像調整の結果を使用者に提示する。この画像処理結果は、使用者が画像調整結果を確認するために表示中の画像に対してのみ反映し、ＨＤＤ１０４に記録されている画像ファイルは、使用者からの保存指示があるまで更新しない。
【００２０】
以下の説明では、この赤色調整用のコントロールポイント２ｂを用いて画像調整を行う場合について説明するが、他の種類のコントロールポイントを用いる場合にも本発明は適用可能である。また、本実施の形態では、スライダー２ｂ−１は、赤色調整用の画像処理パラメータを−１００から１００の範囲で変更できるようになっており、つまみ２ｂ−２は、１ステップ動かすごとにパラメータ値が２ずつ変化するように設計されているものとする。
【００２１】
上記のようにコントロールポイント２ｂを用いて赤色調整をする場合には、使用者は、スライダー２ｂ−１上でつまみ２ｂ−２を移動させて画像をある程度好みの色に調整した後は、さらに細かい調整をするためにつまみ位置を微調整することが考えられる。本実施の形態では、使用者がつまみ位置の微調整を開始したタイミングで、アプリケーション画面上に、現在のつまみ位置に応じた調整結果を反映させたサンプル画像と、現在のつまみ位置近傍のつまみ位置に応じた調整結果を反映させた複数のサンプル画像を表示することにより、使用者がサンプル画像を見ながらつまみ位置の微調整を行えるようにする。
【００２２】
まず、使用者がつまみ位置の微調整を開始したタイミングする方法について説明する。本実施の形態では、制御装置１０３は、以下の（Ａ）〜（Ｃ）のいずれか１つの条件が満たされたことを検出した場合に、その検出タイミングをつまみ位置の微調整開始タイミングとして判定する。
【００２３】
（Ａ）使用者による画像処理パラメータの変更幅が所定幅よりも小さくなったとき
具体的には、制御装置１０３は、スライダー２ｂ−１上の一定範囲内をつまみ２ｂ−２が往復していることを検出した場合であって、その往復幅が所定幅より小さいときに、使用者による画像処理パラメータの変更幅が所定幅よりも小さくなったと判定し、このタイミングをつまみ位置の微調整開始タイミングとして判定する。この場合には、使用者は、スライダー２ｂ−１上の一定範囲内でつまみ２ｂ−２を往復させながら画像が所望の色になるようにつまみ位置を微調整していると考えられるためである。
【００２４】
（Ｂ）使用者による画像処理パラメータの変更が一定時間以上行われないとき
具体的には、制御装置１０３は、使用者が操作部材１０１を操作してつまみ２ｂ−２を保持している時間が一定時間以上経過したときに、使用者による画像処理パラメータの変更が一定時間以上行われていないと判定し、このタイミングをつまみ位置の微調整開始タイミングとして判定する。この場合には、使用者は、つまみ２ｂ−２を移動させた結果が反映された画像を見ながら迷っていると考えられるためである。
【００２５】
（Ｃ）使用者によって同じパラメータ値が繰り返し選択されたとき
具体的には、制御装置１０３は、スライダー２ｂ−１上の同じ位置をつまみ２ｂ−２が所定回数以上通過したときに、または、スライダー２ｂ−１上の同じ位置をつまみ２ｂ−２が所定回数以上往復したとき、のいずれかを検出したときに、使用者によって同じパラメータ値が繰り返し選択されたと判定し、このタイミングをつまみ位置の微調整開始タイミングとして判定する。この場合には、使用者は、スライダー２ｂ−１上のある位置を中心につまみ２ｂ−２を移動させており、この位置を中心として画像が所望の色になるようにつまみ位置を微調整していると考えられるためである。
【００２６】
制御装置１０３は、上記判定方法により、つまみ位置の微調整が開始されたと判定した場合には、図３に示すように、現在のつまみ位置から吹き出し形式でポップアップ画面３ａを表示中の画像に一部重畳させて表示し、ポップアップ画面３ａ内に、位置２ａを中心とした所定範囲内の部分画像に対して複数のパラメータ値で色調整処理を施して得た複数のサンプル画像３ｂ〜３ｄを表示する。すなわち、制御装置１０３は、調整対象の部分画像に対して、画像処理パラメータの微調整結果を適用した複数のサンプル画像を表示する。
【００２７】
図３は、例えば、上記（Ａ）の条件を満たすためのつまみ２ｂ−２の往復範囲を４以内とした場合に、使用者がスライダー２ｂ−１上でパラメータ値が−２６から−２２の間で往復した場合に表示されるポップアップ画面３ａの具体例を示している。すなわち、使用者がスライダー２ｂ−１上でパラメータ値が−２６から−２２の間で往復したことにより、往復範囲が４以内となったため、制御装置１０３は、つまみ位置の微調整が開始されたと判定して、図３に示すポップアップ画面３ａを表示したものである。
【００２８】
図３に示すように、制御装置１０３は、つまみ２ｂ−２が往復した範囲内のパラメータ値（−２６から−２２）を位置２ａを中心とした部分画像に適用したサンプル画像３ｂから３ｄを生成して、ポップアップ画面３ａ内に表示する。図３に示す例では、上述したように、つまみ２ｂ−２の１ステップ当たりのパラメータ値の変化量が２であるため、サンプル画像も−２６から−２２の範囲内でパラメータ値を２ずつ変更したもの、すなわちパラメータ値として−２６を適用したサンプル画像３ｂと、パラメータ値として−２４を適用したサンプル画像３ｃと、パラメータ値として−２２を適用したサンプル画像３ｄとが作成されて表示されている。
【００２９】
なお、ポップアップ画面３ａには、左矢印３ｅと右矢印３ｆとが表示されており、使用者は、操作部材１０１を操作してこれらの矢印をクリックすることによって、ポップアップ画面３ａ内に表示されている範囲外のパラメータ値を適用したサンプル画像も確認することができる。
【００３０】
例えば、図３に示す状態で使用者が左矢印３ｅをクリックした場合には、制御装置１０３は、−２６よりつまみ２ｂ−２を１ステップ分左へ移動させたパラメータ値である−２８を適用したサンプル画像を生成し、ポップアップ画面３ａ内のサンプル画像を１つずつ右へずらして、空いた１番左のスペースに作成したサンプル画像を表示する。よって、この場合には、左から新たに生成したサンプル画像（パラメータ値＝−２８）、サンプル画像３ｂ、サンプル画像３ｃの順に表示されることになり、１番右にあったサンプル画像３ｄは非表示となる。
【００３１】
一方、図３に示す状態で使用者が右矢印３ｆをクリックした場合には、制御装置１０３は、−２２よりつまみ２ｂ−２を１ステップ分右へ移動させたパラメータ値である−２０を適用したサンプル画像を生成し、ポップアップ画面３ａ内のサンプル画像を１つずつ左へずらして、空いた１番右のスペースに作成したサンプル画像を表示する。よって、この場合には、左からサンプル画像３ｃ、サンプル画像３ｄ、新たに生成したサンプル画像（パラメータ値＝−２０）の順に表示されることになり、１番左にあったサンプル画像３ｂは非表示となる。
【００３２】
なお、図３に示す例では、つまみ２ｂ−２の１ステップが２であったため、サンプル画像もパラメータ値を２ずつ変化させて作成して表示するようにしたが、つまみ２ｂ−２の１ステップが他の数である場合には、その数に応じた間隔でパラメータ値を変化させてサンプル画像が作成される。あるいは、サンプル画像生成時のパラメータ値の変化量をつまみ２ｂ−２の１ステップ当たりのパラメータ値の変化量に関係なく設定してもよく、これは固定値であっても使用者が任意に設定できるようにしてもよい。
【００３３】
使用者は、ポップアップ画面３ａ内に表示されたサンプル画像を確認して、その中に好みの調整結果が得られたサンプル画像がある場合には、操作部材１０１を操作してポップアップ画面３ａ上でそのサンプル画像を選択することにより、選択したサンプル画像の調整結果を調整対象画像に適用することができる。すなわち、制御装置１０３は、使用者によっていずれかのサンプル画像が選択された場合には、そのサンプル画像に対して適用されているパラメータ値を特定し、特定したパラメータ値を用いて調整対象の画像に対して画像処理を施す。これによって、使用者はサンプル画像を選択するだけで、そのサンプル画像の調整結果を表示中の画像に反映させることができる。
【００３４】
なお、上述した場合と同様に、この画像処理結果は、使用者が画像調整結果を確認するために表示中の画像に対してのみ反映し、ＨＤＤ１０４に記録されている画像ファイルは、使用者からの保存指示があるまで更新しない。
【００３５】
図４は、本実施の形態におけるサンプル画像表示処理の流れを示すフローチャートである。図４に示す処理は、画像処理アプリケーション画面上に表示された画像上に、上述したコントロールポイント２ｂが表示されると起動するプログラムとして、制御装置１０３により実行される。
【００３６】
ステップＳ１０において、制御装置１０３は、上記（Ａ）〜（Ｃ）に示した条件を満たしたか否かを判定することにより、使用者によるつまみ位置の微調整の開始タイミングであるか否かを判断する。ステップＳ１０で否定判断した場合には、後述するステップＳ５０へ進む。これに対して、ステップＳ１０で肯定判断した場合には、ステップＳ２０へ進む。
【００３７】
ステップＳ２０では、制御装置１０３は、図３に示したように、現在のつまみ位置から吹き出し形式でポップアップ画面３ａを表示し、ポップアップ画面３ａ内に、位置２ａを中心とした所定範囲内の部分画像に対して、複数のパラメータ値で色調整処理を施して得た複数のサンプル画像３ｂ〜３ｄを表示する。その後、ステップＳ３０へ進む。
【００３８】
ステップＳ３０では、制御装置１０３は、ポップアップ画面３ａ内のいずれかのサンプル画像が使用者によって選択されたか否かを判断する。ステップＳ３０で否定判断した場合には、後述するステップＳ５０へ進む。これに対して、ステップＳ３０で肯定判断した場合には、ステップＳ４０へ進む。
【００３９】
ステップＳ４０では、制御装置１０３は、上述したように、使用者によって選択されたサンプル画像に対して適用されているパラメータ値を特定し、特定したパラメータ値を用いて調整対象の画像に対して画像処理を施すことにより、使用者によって選択されたサンプル画像における調整結果を表示中の画像に反映させる。なお、上述したように、この画像処理結果は、使用者が画像調整結果を確認するために表示中の画像に対してのみ反映し、ＨＤＤ１０４に記録されている画像ファイルは、使用者からの保存指示があるまで更新しない。
【００４０】
ステップＳ５０では、制御装置１０３は、使用者による画像調整が終了したか否かを判断する。例えば、使用者によってアプリケーション画面上で調整内容の保存が指示されたときに、使用者が画像調整を終了したと判断する。ステップＳ５０で否定判断した場合には、ステップＳ１０へ戻って処理を繰り返す。これに対して、ステップＳ５０で肯定判断した場合には、処理を終了する。
【００４１】
以上説明した本実施の形態によれば、以下のような作用効果を得ることができる。
（１）制御装置１０３は、使用者がつまみ位置の微調整を開始したか否かを判定し、微調整を開始したと判定した場合には、調整対象の画像に対して画像処理パラメータの微調整結果を適用した複数のサンプル画像を表示したポップアップ画面３ａを表示するようにした。これによって、使用者はサンプル画像で微調整結果を確認しながら画像調整を行うことができる。
【００４２】
（２）制御装置１０３は、使用者による画像処理パラメータの変更幅が所定幅よりも小さくなったときに、微調整が開始されたと判定するようにした。これによって、使用者がスライダー２ｂ−１上の一定範囲内でつまみ２ｂ−２を往復させながら画像が所望の色になるようにつまみ位置を微調整しているタイミングで、微調整の開始を検出することができる。
【００４３】
（３）制御装置１０３は、使用者による画像処理パラメータの変更が一定時間以上行われないときに、微調整が開始されたと判定するようにした。これによって、使用者がつまみ２ｂ−２を移動させた結果が反映された画像を見ながら迷っているタイミングで、微調整の開始を検出することができる。
【００４４】
（４）制御装置１０３は、使用者によって同じパラメータ値が繰り返し選択されたときに、微調整が開始されたと判定するようにした。これによって、使用者がスライダー２ｂ−１上のある位置を中心につまみ２ｂ−２を移動させており、この位置を中心として画像が所望の色になるようにつまみ位置を微調整しているタイミングで、微調整の開始を検出することができる。
【００４５】
（５）制御装置１０３は、使用者によってサンプル画像のいずれかが選択された場合には、選択されたサンプル画像に対して適用されている画像処理パラメータを用いた画像処理結果を調整対象の画像に反映するようにした。これによって、使用者は、サンプル画像を選択するだけで、容易に調整結果を調整対象画像に反映させることができる。
【００４６】
（６）制御装置１０３は、調製対象の画像上にポップアップ画面３ａを表示することにより、調製対象の画像の一部に重畳してサンプル画像を表示するようにした。これによって、使用者は視線をあまり移動させなくても画像調整中にサンプル画像を確認することができる。
【００４７】
―変形例―
なお、上述した実施の形態の画像処理装置は、以下のように変形することもできる。
（１）上述した実施の形態では、制御装置１０３は、上記（Ａ）〜（Ｃ）のいずれか１つの条件が満たされたことを検出した場合に、その検出タイミングをつまみ位置の微調整開始タイミングとして判定する例について説明した。しかしながら、制御装置１０３は、上記（Ａ）〜（Ｃ）のうちのいずれか２つの条件が満たされたことを検出した場合に、その検出タイミングをつまみ位置の微調整開始タイミングとして判定してもよいし、３つ全ての条件が満たされたことを検出した場合に、その検出タイミングをつまみ位置の微調整開始タイミングとして判定してもよい。
【００４８】
（２）上述した実施の形態では、現在のつまみ位置から吹き出し形式でポップアップ画面３ａを表示中の画像に一部重畳させて表示し、当該ポップアップ画面３ａ内に複数のサンプル画像を表示する例について説明した。しかしながら、サンプル画像の表示方法は、その他の方法であってもよい。例えば、アプリケーション画面内に、調整対象の画像を表示するための画像表示欄の他にサンプル画像を表示するためのサンプル画像表示欄を設けておき、当該サンプル画像表示欄にサンプル画像を表示するようにしてもよい。あるいは、画像処理装置１００に複数のモニタが接続されている場合には、一方のモニタに調整対象の画像を表示し、他方のモニタにサンプル画像を表示するようにしてもよい。
【００４９】
（３）上述した実施の形態では、図３に示すポップアップ画面３ａ内に３つのサンプル画像３ｂ〜３ｄを表示する例について説明した。しかしながら、表示するサンプル画像の数は３つに限定されない。また、表示するサンプル画像の数、サンプル画像の大きさ、サンプル画像の並び順を使用者が操作部材１０１を操作して任意に変更できるようにしてもよい。
【００５０】
（４）上述した実施の形態では、使用者は赤色を調整するための色調整用のコントロールポイント２ｂを操作して、画像の色を調整する例について説明し、図３に示したポップアップ画面３ａ内には、色調整のサンプル画像３ｂ〜３ｄを表示する例について説明した。しかしながら、上述したように、コントロールポイントは、画像調整の種類ごとに存在するため、例えば、使用者は、明度調整用のコントロールポイントを操作して画像の明度を調整した後、色調整用のコントロールポイントを操作して画像の色を調整する場合も考えられる。この場合には、色調整用のコントロールポイントを操作して画像の色を調整しているときに表示するサンプル画像は、その前に行われた明度調整の結果を反映した内容とすることが好ましい。
【００５１】
（５）上述した実施の形態では、制御装置１０３は、ポップアップ画面３ａ内に、使用者によって指定された位置２ａを中心とした所定範囲内の部分画像に複数のパラメータ値で画像調整を施した結果をサンプル画像として表示する例について説明した。しかしながら、サンプル画像として表示する画像は、上記部分画像ではなく、調整対象の画像の全体としてもよい。また、部分画像とするか全体画像とするかを使用者が任意に変更できるようにしてもよい。
【００５２】
（６）上述した実施の形態では、図３に示したように、制御装置１０３は、ポップアップ画面３ａ内に、つまみ２ｂ−２が往復した範囲内のパラメータ値（−２６から−２２）を適用した３つのサンプル画像を、適用したパラメータ値の大きさの順に並べて表示する例について説明した。しかしながら、サンプル画像の表示順序はこれに限定されず、制御装置１０３は、使用者がスライダー２ｂ−１上でつまみ２ｂ−２を移動させてたどったパラメータ値の順に、サンプル画像を並べて表示してもよい。
【００５３】
（７）上述した実施の形態では、図３に示したように、制御装置１０３は、ポップアップ画面３ａ内に、つまみ２ｂ−２が往復した範囲内のパラメータ値（−２６から−２２）を適用した３つのサンプル画像を表示する例について説明した。しかしながら、制御装置１０３は、つまみ２ｂ−２が往復したパラメータ値の範囲が−２６から−２２である場合には、その下限であるー２６と、上限であるー２２の２つのパラメータ値を適用して生成した２つのサンプル画像をポップアップ画面３ａ内に表示するようにしてもよい。
【００５４】
（８）サンプル画像を表示するに当たっては、各サンプル画像に対応付けて、スライダー２ｂ−１上でそのサンプル画像に対応するパラメータ値をつまみ２ｂ−２が通過した回数を表示するようにしてもよい。また、サンプル画像のうち、特につまみ２ｂ−２が通過した回数が多いパラメータ値が適用されたサンプル画像を強調表示するようにしてもよい。なお、強調表示の方法としては、例えば枠で囲って表示したり、他のサンプル画像より画像サイズを大きく表示するなどすればよい。
【００５５】
（９）上述した実施の形態では、使用者がスライダー２ｂ−１上でパラメータ値が−２６から−２２の間で往復したことを検出した場合に、上記（Ａ）の条件を満たすため微調整の開始タイミングであると判定して図３に示すポップアップ画面３ａを表示し、当該ポップアップ画面３ａ内に、つまみ２ｂ−２が往復した範囲内のパラメータ値（−２６から−２２）を位置２ａを中心とした部分画像に適用したサンプル画像３ｂから３ｄを生成して表示する例について説明した。一方、条件（Ｂ）を満たした場合には、一定時間以上つまみ２ｂ−２が保持されているスライダー２ｂ−１の位置に対応するパラメータ値と、該パラメータ値に連続する複数のパラメータ値とを適用した複数のサンプル画像を表示すればよい。また、条件（Ｃ）を満たした場合には、つまみ２ｂ−２が所定回数以上通過したスライダー２ｂ−１の位置に対応するパラメータ値と、該パラメータ値に連続する複数のパラメータ値とを適用した複数のサンプル画像を表示すればよい。あるいは、つまみ２ｂ−２が所定回数以上往復したスライダー２ｂ−１の位置に対応するパラメータ値と、該パラメータ値に連続する複数のパラメータ値とを適用した複数のサンプル画像を表示すればよい。
【００５６】
（１０）上述した実施の形態では、コントロールポイント２ｂを操作して画像調整を行う例について説明した。しかしながら、他の操作方法により画像調整を行うようにしてもよい。例えば、トーンカーブの形状を変更して画像調整を行う場合や、特開２００６−１０６９７６号公報の図２に示されているように、座標を用いて画像調整を行う場合にも、本発明は適用可能である。
【００５７】
（１１）上述した実施の形態では、画像処理装置１００としてパソコンを用いる例について説明した。しかしながら、画像処理装置１００として、デジタルカメラや携帯電話等の画像調整機能を備える他の機器を用いる場合にも本発明は適用可能である。例えば、デジタルカメラが備える液晶モニタ上で画像を確認しながら、デジタルカメラが備える十字キーや決定ボタン等を操作して画像調整を行う場合にも本発明は適用可能である。
【００５８】
なお、本発明の特徴的な機能を損なわない限り、本発明は、上述した実施の形態における構成に何ら限定されない。また、上述の実施の形態と複数の変形例を組み合わせた構成としてもよい。
【符号の説明】
【００５９】
１００  画像処理装置、１０１  操作部材、１０２  接続ＩＦ、１０３  制御装置、１０４  ＨＤＤ、１０５  モニタ
【図１】
2010198078.tif 000003
【図２】
2010198078.tif 000004
【図３】
2010198078.tif 000005
【図４】
2010198078.tif 000006